(57)【特許請求の範囲】
【請求項１】
第１の電力モードと該第１の電力モードよりも消費電力が少ない第２の電力モードとを備える画像処理装置であって、
前記画像処理装置の仕向け設定を記憶する記憶手段と、
前記画像処理装置を前記第２の電力モードから前記第１の電力モードに移行させる第１移行手段と、
前記仕向け設定に基づいて、前記画像処理装置を前記第１の電力モードから前記第２の電力モードに移行するための移行時間を設定する設定手段と、
前記第１移行手段が前記画像処理装置を前記第２の電力モードから前記第１の電力モードに移行させた要因を特定できず、且つ、前記第１の電力モードにおいて前記設定手段によって設定された前記移行時間内に所定のイベントが発生しないなら、前記画像処理装置を前記第１の電力モードから前記第２の電力モードに移行する第２移行手段と、を有することを特徴とする画像処理装置。
【請求項２】
ユーザが前記移行時間の設定を行うためのユーザ設定手段をさらに有することを特徴とする請求項１に記載の画像処理装置。
【請求項３】
電話回線からの呼出信号を受信する受信手段をさらに備え、
前記受信手段が前記呼出信号を受信した場合に前記イベントが前記第２移行手段に入力されることを特徴とする請求項１又は２に記載の画像処理装置。
【請求項４】
前記呼出信号は、オン期間およびオフ期間が周期的に繰り返すパルス信号であり、
前記パルス信号のオンおよびオフの周期に応じて複数の前記移行時間が規定されており、
前記設定手段は前記周期よりも長い前記移行時間を選択することを特徴とする請求項３に記載の画像処理装置。
【請求項５】
前記パルス信号の周期をパターン履歴として得る履歴取得手段をさらに有し、
前記設定手段は前記パターン履歴に応じて前記移行時間を設定することを特徴とする請求項４に記載の画像処理装置。
【請求項６】
前記履歴取得手段は、前記パルス信号の各々についてそのオフ期間を計測して、所定数の前記オフ期間の平均値と標準偏差とを求め、前記平均値に所定時間を加算して得られた時間を前記移行時間として設定することを特徴とする請求項５に記載の画像処理装置。
【請求項７】
前記記憶手段に記憶される前記仕向け設定が米国である場合、前記設定手段は、米国以外の仕向け設定の場合に比べて、前記移行時間を長くすることを特徴とする請求項１乃至６のいずれか１項に記載の画像処理装置。
【請求項８】
第１の電力モードと該第１の電力モードよりも消費電力が少ない第２の電力モードとを備える画像処理装置の制御方法であって、
前記画像処理装置の仕向け設定をメモリに記憶する記憶ステップと、
前記画像処理装置を前記第２の電力モードから前記第１の電力モードに移行させる第１移行ステップと、
前記仕向け設定に基づいて、前記画像処理装置を前記第１の電力モードから前記第２の電力モードに移行するための移行時間を設定する設定ステップと、
前記第１移行ステップで前記画像処理装置を前記第２の電力モードから前記第１の電力モードに移行させた要因を特定できず、且つ、前記第１の電力モードにおいて前記設定ステップで設定された前記移行時間内に所定のイベントが発生しないなら、前記画像処理装置を前記第１の電力モードから前記第２の電力モードに移行させる第２移行ステップと、を有することを特徴とする画像処理装置の制御方法。
【請求項９】
第１の電力モードと該第１の電力モードよりも消費電力が少ない第２の電力モードとを備える画像処理装置の制御方法をコンピュータに実行させるためのプログラムであって、前記画像処理装置の制御方法は、
前記画像処理装置の仕向け設定をメモリに記憶する記憶ステップと、
前記画像処理装置を前記第２の電力モードから前記第１の電力モードに移行させる第１移行ステップと、
前記仕向け設定に基づいて、前記画像処理装置を前記第１の電力モードから前記第２の電力モードに移行するための移行時間を設定する設定ステップと、
前記第１移行ステップで前記画像処理装置を前記第２の電力モードから前記第１の電力モードに移行させた要因を特定できず、且つ、前記第１の電力モードにおいて前記設定ステップで設定された前記移行時間内に所定のイベントが発生しないなら、前記画像処理装置を前記第１の電力モードから前記第２の電力モードに移行させる第２移行ステップと、を有することを特徴とするプログラム。
【請求項１０】
請求項９に記載のプラグラムを格納することを特徴とするコンピュータで読み取り可能な記憶媒体。
【請求項１１】
省電力状態から復帰し、省電力状態から復帰させた要因を特定できない場合に所定時間で前記省電力状態に移行する情報処理装置であって、
前記情報処理装置の仕向け設定に基づいて、前記所定時間を変更する変更手段、を備えることを特徴とする情報処理装置。
【請求項１２】
前記変更手段は、前記情報処理装置の仕向け設定が米国である場合に、米国以外の仕向け設定の場合に比べて、前記所定時間を長くする、ことを特徴とする請求項１１に記載の情報処理装置。
【請求項１３】
電話回線からの呼出信号を受信する受信手段と、
前記受信手段が前記呼出信号を受信した場合に前記情報処理装置を前記省電力状態から復帰させる復帰手段と、をさらに備える、ことを特徴とする請求項１１又は１２に記載の情報処理装置。
【請求項１４】
前記復帰手段は、前記呼出信号の第１オン状態に検知して前記情報処理装置の制御手段を前記省電力状態から復帰させ、
当該復帰した前記制御手段は、前記呼出信号の前記第１オン状態の次の第２オン状態を検知して、省電力状態から復帰させた要因が呼出信号であると判断する、ことを特徴とする請求項１３に記載の情報処理装置。
【請求項１５】
前記制御手段は、前記呼出信号の前記第２オン状態の次の第３オン状態を検知して、ファクシミリ機能の自動着信動作を行う、ことを特徴とする請求項１４に記載の情報処理装置。
【請求項１６】
用紙に画像を印刷する印刷手段をさらに備える、ことを特徴とする請求項１１乃至１５のいずれか１項に記載の情報処理装置。
【請求項１７】
省電力状態から復帰し、省電力状態から復帰させた要因を特定できない場合に所定時間で前記省電力状態に移行する情報処理装置の制御方法であって、
前記情報処理装置の仕向け設定に基づいて、前記所定時間を変更する変更ステップ、を有することを特徴とする情報処理装置の制御方法。
【請求項１８】
前記変更ステップでは、前記情報処理装置の仕向け設定が米国である場合に、米国以外の仕向け設定の場合に比べて、前記所定時間を長くする、ことを特徴とする請求項１７に記載の情報処理装置の制御方法。
【請求項１９】
電話回線からの呼出信号を受信する受信ステップと、
前記受信ステップで前記呼出信号を受信した場合に前記情報処理装置を前記省電力状態から復帰させる復帰ステップと、をさらに有することを特徴とする請求項１７又は１８に記載の情報処理装置の制御方法。
【請求項２０】
前記復帰ステップでは、前記呼出信号の第１オン状態に検知して前記情報処理装置の制御手段を前記省電力状態から復帰させ、
当該復帰した前記制御手段によって、前記呼出信号の前記第１オン状態の次の第２オン状態を検知された場合、省電力状態から復帰させた要因が呼出信号であると判断する判断ステップ、をさらに有することを特徴とする請求項１９に記載の情報処理装置の制御方法。
【請求項２１】
復帰した前記制御手段によって、前記呼出信号の前記第２オン状態の次の第３オン状態を検知された場合、ファクシミリ機能の自動着信動作を行う自動着信ステップ、をさらに有することを特徴とする請求項２０に記載の情報処理装置の制御方法。
【請求項２２】
用紙に画像を印刷する印刷ステップをさらに有する、ことを特徴とする請求項１７乃至２１のいずれか１項に記載の情報処理装置の制御方法。
【発明の詳細な説明】
【技術分野】
【０００１】
本発明は、画像処理装置、情報処理装置、その制御方法、プログラム、及び記憶媒体に関し、特に、画像処理装置及び情報処理装置のスリープモード制御に関する。
【背景技術】
【０００２】
従来、画像形成装置の１つである画像処理装置として、ファクシミリ機能、プリンタ機能、およびコピー機能などを有する複合機（以下ＭＦＰと呼ぶ）が知られている。このＭＦＰにおいて節電のため所謂スリープモードを有するものがある。このスリープモードはスタンバイモードよりもさらに電力消費を低下するためのモードである。スリープモードではハードウェアの一部に対する電源供給を断つようにすることもある。
【０００３】
一般に、ＭＦＰがスタンバイモードからスリープモードへ移行する際には移行条件が満たされる必要がある。例えば、移行条件として、設定操作、ＬＡＮ又はＵＳＢによって接続された外部ホストからの動作要求、およびＭＦＰの内部要因などが一定の時間発生しないことが条件とされている。
【０００４】
一方、スリープモードからスタンバイモードへ復帰する際の復帰要因（解除要因）には複数の要因がある。そして、復帰要因の種類に応じて、再度スタンバイモードからスリープモードに移行する時間を可変にするようにしたモード制御がある。
【０００５】
ここでは、スリープモードの際に解除ボタンが押されると、ＭＦＰは節電解除を行って、移行時間を第１の時間に設定する。そして、例えば、コピー動作が終了して所定のイベントが発生しない待機状態が第１の時間続くと、ＭＦＰは再度スリープモードに移行する。一方、夜間においてスリープモードの際に管理装置の発呼による着信を検出すると、ＭＦＰはスリープモードを解除して移行時間を第２の時間（第２の時間＜第１の時間）に設定し、管理データ送信後所定のイベントが発生しない待機状態が第２の時間続くと、再度スリープモードに移行する（特許文献１参照）。
【先行技術文献】
【特許文献】
【０００６】
【特許文献１】特開２００５−３０９０１６号公報
【発明の概要】
【発明が解決しようとする課題】
【０００７】
ところで、特許文献１においては、スリープモードからスタンバイモードに復帰した際、復帰要因が不明である場合について考慮されていない。ここで、ＭＦＰのファクシミリ機能において、電話回線からの呼び出し信号を復帰要因の一つとしている場合を例に説明する。
【０００８】
呼び出し信号はオン信号とオフ信号のケーデンス（シーケンス）パターンを有している。スリープモードの際に、ＭＦＰは呼び出しオン信号を検知するとスリープモードからスタンバイモードへ復帰する。この際に、例えば、雷などの影響で呼び出し信号にノイズが混入して、見かけ上パルス状の呼び出しオン信号が入力されると、ＭＦＰはスタンバイモード復帰後に呼び出しオン信号を認識することができない。この結果、ＭＦＰはスリープモードからスタンバイモードへの復帰要因が不明な状態に陥ってしまうことがある。
【０００９】
そして、復帰要因が不明な状態で、スリープモードからスタンバイモードに復帰しても、一定時間、新たなイベントが発生しなければ、ＭＦＰは再びスタンバイモードからスリープモードへ移行する。しかしながら、上記の一定時間は、一般に数分から数十分と長い。このため、直ぐにスリープモードに再移行する場合に比べてトータルの消費電力が大きくなってしまう。
【００１０】
一方、復帰要因が不明な場合であっても、数秒で再びスタンバイモードからスリープモードに移行するように制御して、トータルの消費電力を小さくしても、再移行時間を数秒程度と短くしてしまうと、本当に呼び出し信号ケーデンスパターンが受けた場合に、スリープモードからの復帰とスリープモードへの再移行を繰り返すだけで正常に着信動作ができないことがある。
【００１１】
従って、本発明の目的は、スリープモードからスタンバイモードに復帰した際、復帰要因が不明であっても消費電力の増加を防止して、しかもスタンバイモードにおいて正常な動作を行うことのできる画像処理装置、情報処理装置、その制御方法、プログラム、及び記憶媒体を提供することにある。
【課題を解決するための手段】
【００１２】
上記の目的を達成するため、本発明に係る画像処理装置は、第１の電力モードと該第１の電力モードよりも消費電力が少ない第２の電力モードとを備える画像処理装置であって、前記画像処理装置の仕向け設定を記憶する記憶手段と、前記画像処理装置を前記第２の電力モードから前記第１の電力モードに移行させる第１移行手段と、前記仕向け設定に基づいて、前記画像処理装置を前記第１の電力モードから前記第２の電力モードに移行するための移行時間を設定する設定手段と、前記第１移行手段が前記画像処理装置を前記第２の電力モードから前記第１の電力モードに移行させた要因を特定できず、且つ、前記第１の電力モードにおいて前記設定手段によって設定された前記移行時間内に所定のイベントが発生しないなら、前記画像処理装置を前記第１の電力モードから前記第２の電力モードに移行する第２移行手段と、を有することを特徴とする。
【００１３】
本発明に係る画像処理装置の制御方法は、第１の電力モードと該第１の電力モードよりも消費電力が少ない第２の電力モードとを備える画像処理装置の制御方法であって、前記画像処理装置の仕向け設定をメモリに記憶する記憶ステップと、前記画像処理装置を前記第２の電力モードから前記第１の電力モードに移行させる第１移行ステップと、前記仕向け設定に基づいて、前記画像処理装置を前記第１の電力モードから前記第２の電力モードに移行するための移行時間を設定する設定ステップと、前記第１移行ステップで前記画像処理装置を前記第２の電力モードから前記第１の電力モードに移行させた要因を特定できず、且つ、前記第１の電力モードにおいて前記設定ステップで設定された前記移行時間内に所定のイベントが発生しないなら、前記画像処理装置を前記第１の電力モードから前記第２の電力モードに移行させる第２移行ステップと、を有することを特徴とする。
【００１４】
本発明に係るプログラムは、第１の電力モードと該第１の電力モードよりも消費電力が少ない第２の電力モードとを備える画像処理装置の制御方法をコンピュータに実行させるためのプログラムであって、前記画像処理装置の制御方法は、前記画像処理装置の仕向け設定をメモリに記憶する記憶ステップと、前記画像処理装置を前記第２の電力モードから前記第１の電力モードに移行させる第１移行ステップと、前記仕向け設定に基づいて、前記画像処理装置を前記第１の電力モードから前記第２の電力モードに移行するための移行時間を設定する設定ステップと、前記第１移行ステップで前記画像処理装置を前記第２の電力モードから前記第１の電力モードに移行させた要因を特定できず、且つ、前記第１の電力モードにおいて前記設定ステップで設定された前記移行時間内に所定のイベントが発生しないなら、前記画像処理装置を前記第１の電力モードから前記第２の電力モードに移行させる第２移行ステップと、を有することを特徴とする。
【発明の効果】
【００１５】
本発明によれば、スリープモードを解除する解除要因に応じてスタンバイモードに移行した後、解除要因を認識できないとスリープモード再移行時間を変化させるようにしたので、消費電力の増加を防止して、しかもスタンバイモードにおいて正常な動作を行うことができる。
【図面の簡単な説明】
【００１６】
【図１】本発明の第１の実施形態による情報処理装置の１つである複合機（ＭＦＰ）の構成についてその一例を示すブロック図である。
【図２】図１に示すＭＦＰにおいてスリープモード制御に関連する部分を詳細に示すブロック図である。
【図３】図２で説明した呼び出し信号検知信号の出力タイミングを説明するためのタイミングチャートであり、（Ａ）は電話回線から呼び出し信号を受信した際の回線Ｉ／Ｆの検知動作を示すタイミングチャート、（Ｂ）は、図２に示すＣＰＵがファクシミリ機能における自動着信を行うか否かを決定するタイミングを説明するためのタイミングチャートである。
【図４】図１に示すＭＦＰにおける仕向け国設定処理を説明するためのフローチャートである。
【図５】図１に示すＭＦＰの電源がオンされた後において１回目のスリープモード移行処理を説明するためのフローチャートである。
【図６】図１に示すＭＦＰにおけるスリープモード復帰時処理を説明するためのフローチャートである。
【図７】本発明の第２の実施形態によるＭＦＰにおけるユーザ設定変更処理を説明するためのフローチャートである。
【図８】本発明の第３の実施形態によるＭＦＰにおける呼び出し信号検知信号の監視処理を説明するためのフローチャートである。
【発明を実施するための形態】
【００１７】
以下、本発明の実施の形態による情報処理装置の一例について図面を参照して説明する。
【００１８】
［第１の実施形態］
図１は、本発明の第１の実施形態による情報処理装置の１つである複合機（ＭＦＰ）１００の構成についてその一例を示すブロック図である。
【００１９】
図示のＭＦＰ１００はＣＰＵ１０２（変更手段）を有しており、このＣＰＵ１０２はシステムバス１０１を介してＲＯＭ１０３およびＲＡＭ１０４などの構成要素に接続されている。ＣＰＵ１０２はＲＯＭ１０３に記憶されたシステムプログラムに従ってＭＦＰ１００全体の制御を司る。
【００２０】
ＲＡＭ１０４はＣＰＵ１０２のシステムワークメモリとして用いられるとともに、ファクシミリ機能、プリンタ機能、又はコピー機能などを用いる際の画像データを記憶するための画像メモリとして用いられる。
【００２１】
Ｅ２ＲＯＭ（Ｅｌｅｃｔｒｉｃａｌｌｙ  Ｅｒａｓａｂｌｅ  ＲＯＭ）１１８は不揮発性メモリであり、Ｅ２ＲＯＭ１１８にはＭＦＰ１００の仕向け国設定を含む各種設定パラメータが存される。プリンタ１０７は、プリンタ機能によって画像データに応じた画像を用紙に印刷する。
【００２２】
プリンタ１０７はプリンタＩ／Ｆ（インタフェース）１０６によってシステムバス１０１に接続され、プリンタＩ／Ｆ１０６を介してシステムバス１０１から画像データがプリンタ１０７に与えられる。プリンタＩ／Ｆ１０６は当該画像データをプリンタ１０７に適合するデータに変換して出力する。
【００２３】
スキャナ１０９は、例えば、ファクシミリ送信又はコピーを行う際に原稿上の画像を読み取る。このスキャナ１０９はスキャナＩ／Ｆ１０８によってシステムバス１０１に接続され、スキャナ１０９で読み取った画像データは、スキャナＩ／Ｆ１０８によってシステムバス１０１に適合するデータに変換される。
【００２４】
操作ユニット１１１はユーザインタフェースであり、表示部および入力部（ともに図示せず）を備えている。操作ユニット１１１は操作部Ｉ／Ｆ１１０を介してシステムバス１０１に接続されている。操作部Ｉ／Ｆ１１０は表示のための画像データを操作ユニット１１１の表示部に出力する一方、操作ユニット１１１の入力部からのユーザ入力情報を、システムバス１０１を介してＣＰＵ１０２に送信する。
【００２５】
モデム（ＭＯＤＥＭ）１１２は画像データをファクシミリ送受信する際に用いられる変復調器である。ＭＯＤＥＭ１１２は回線Ｉ／Ｆ１１３（検知手段）を介して電話回線１１６に接続されている。
【００２６】
ＬＡＮコントローラ（ＬＡＮＣ）１１４はＬＡＮ回線１１７に接続され、ＬＡＮ回線１１７上にあるホストからプリントジョブなどを受信するとともに、ＬＡＮ回線１１７に各種データを送信する。スリープモード制御部１１５（復帰手段）はスリープモードへの移行およびスリープモードからの復帰に係る制御を行う。
【００２７】
ここでは、スリープモード制御部１１５は、ＣＰＵ１０２からの指示によってＭＦＰ１００をスリープモードに移行させる。スリープモード制御部１１５は、操作ユニット１１１からスリープモード復帰信号１４を受ける。また、スリープモード制御部１１５はＬＡＮＣ１１４からスリープモード復帰信号１５を受ける。さらに、スリープモード制御部１１５は回線Ｉ／Ｆ１１３から、後述する呼び出信号検出信号１２を受ける。そして、スリープモード制御部１１５スリープモード復帰信号１４および１５と呼び出し信号検知信号１２の各々に応じて、ＭＦＰ１００をスリープモードからスタンバイもモードに復帰させる。
【００２８】
図２は、図１に示すＭＦＰ１００においてスリープモード制御に関連する部分を詳細に示すブロック図である。
【００２９】
電源１１９は、ＡＣ入力電源を受けてＭＦＰ１００で使用するＤＣ電源を生成する。このＤＣ電源は常夜電源１０および非常夜電源１１に分けられる。常夜電源１０はＡＣ入力電源が供給されている限り常に出力される。一方、非常夜電源１１はＭＦＰ１００スリープモードとなるとその出力を停止する。
【００３０】
ＣＰＵ１０２には非常夜電源１１が給電される。ＣＰＵ１０２は消費電力が比較的大きいため、図示のＭＦＰ１００ではスリープモードの際ＣＰＵ１０２に対する給電を停止して省電力化を行っている。
【００３１】
回線Ｉ／Ｆ１１３には常夜電源１０が給電され、回線Ｉ／Ｆ１１３はスリープモードにおいても電話回線１１６から受けた呼び出し信号を検出することができる。また、スリープモード制御部１１５には常夜電源１０が給電される。
【００３２】
図示のように、回線Ｉ／Ｆ１１３は呼び出信号検出信号１２をＣＰＵ１０２に与えるとともに、スリープモード制御部１１５に与える。スリープモード制御部１１５は呼び出し信号検知信号１２をスリープモード復帰要因（解除要因）として受ける。
【００３３】
スリープモード制御部１２には、前述のようにスリープモード復帰信号１４および１５が入力される。そして、スリープモード制御部１１５は電源制御信号１３を電源１１９に出力する。この電源制御信号１３は電源１１９における非常夜電源１１のオフ・オンを切り替える信号ための信号である。
【００３４】
スタンバイモードからスリープモードへ移行する移行条件が整うと、ＣＰＵ１０２から移行信号をスリープモード制御部１１５に与える。これによって、スリープモード制御部１１５は非常夜電源１１をオフする電源制御信号１３（以下、この信号をオフ制御信号とも呼ぶ）を電源１１９に与える。一方、スリープモードの際に、呼び出し信号検知信号１２、スリープモード復帰信号１４、スリープモード復帰信号１５のいずれかを受けると、スリープモード制御部１１５はスリープモード復帰要因が発生したとして、非常夜電源１１をオンする電源制御信号１３（以下、この信号をオン制御信号とも呼ぶ）を電源１１９に与える。
【００３５】
ところで、電話回線１１６には不可避的に雷などの影響によるノイズが混入することがある。そして、このノイズは非常に短いパルス状の信号であるため、回線Ｉ／Ｆ１１３はノイズを呼び出信号と誤検知して、呼び出し信号検知信号１２を出力することがある（以下、この検知信号を誤検知信号と呼ぶことがある）。
【００３６】
ＭＦＰ１００がスリープモードの際に、回線Ｉ／Ｆ１１３が誤検知信号（つまり、呼び出し信号検知信号１２）を出力すると、スリープモード制御部１１５は非常夜電源１１をオンとし、ＭＦＰ１００（ＣＰＵ１０２など）をスリープモードからスタンバイモードに復帰をする。しかしながら、この場合には、誤検知信号によってスタンバイモードに復帰したのであるから、復帰要因が不明な状態になってしまう。
【００３７】
図示の例では、復帰要因が不明であると、ＣＰＵ１０２は、所定の時間（例えば、５秒間）新たなイベントが発生しないと、スリープモード制御部１１５に移行信号を出力する。これによって、スリープモード制御部１１５は非常夜電源１１をオフとして、ＭＦＰ１００（ＣＰＵ１０２など）を再びスリープモードに移行して、トータルの消費電力を抑える。
【００３８】
図３は、図２で説明した呼び出し信号検知信号の出力タイミングを説明するためのタイミングチャートである。そして、図３（Ａ）は電話回線１１６から呼び出し信号を受信した際の回線Ｉ／Ｆ１１３の検知動作を示すタイミングチャートであり、図３（Ｂ）は、図２に示すＣＰＵ１０２がファクシミリ機能における自動着信を行うか否かを決定するタイミングを説明するためのタイミングチャートである。
【００３９】
図３（Ａ）において、呼び出し信号検知信号（つまり、パルス信号）は、時間Ｔｏｎの間オンとなり、時間Ｔｏｆｆの間オフとなる信号であって、オンおよびオフを所定の周期で繰り返すものとする。つまり、呼び出し信号検知信号はパルス状の呼び出し信号がオンの際オンとなり、呼び出し信号がオフの際オフとなる。言い換えると、呼び出し信号検知信号は呼び出し信号のケーデンスパターンに応じてオン・オフする。
【００４０】
呼び出し信号のケーデンスパターンは各国の電気通信規格において予め定められており、様々なパターンが存在する。さらに、構内交換機が接続された電話機器に対して呼び出し信号を出力する。そして、構内交換機は独自仕様などによって設置国の電気通信規格にはないケーデンスパターンの呼び出し信号を出力するものがある。
【００４１】
例えば、米国において流通している構内交換機には、Ｔｏｎ＝０．２秒、Ｔｏｆｆ＝９秒の特殊なケーデンスパターンの呼び出し信号を出力するものがある。図１に示すＭＦＰ１００では、当該ＭＦＰ１００が構内交換機に接続される事を想定して、米国仕向け設定においては、Ｔｏｎ＝０．２秒、Ｔｏｆｆ＝９秒のケーデンスパターンの呼び出し信号を認識する。
【００４２】
前述したように、ＭＦＰ１００ではＣＰＵ１０２が呼び出信号検出信号を監視している。ＭＦＰ１００がスタンバイモードの際に呼び出信号を受けると、ＣＰＵ１０２は呼び出し信号検知信号１２における時間Ｔｏｎ又は時間Ｔｏｆｆを計測する。そして、ＣＰＵ１０２は予め仕向け国設定毎にＲＯＭ１０３に登録済みのケーデンスパターン（登録ケーデンスパターン）のいずれに呼び出し信号検知信号のケーデンスパターンが一致するか（つまり、適合するか）否かを判定する。
【００４３】
いずれかの登録ケーデンスパターンに呼び出し信号検知信号のケーデンスパターンに適合すると、ＣＰＵ１０２は回線Ｉ／Ｆ１１３で受信した呼び出し信号を有効する。そして、ＣＰＵ１０２は、図３（Ｂ）に示すように、呼び出し信号検知信号のケーデンスパターンのオン／オフの２周期目を確認した時点で、自動的にファクシミリ機能の自動着信動作を実行する。
【００４４】
ここで、ＭＦＰ１００がスリープモードの際に、前述の米国の構内交換機のように、Ｔｏｎ＝０．２秒である非常に短い呼び出し信号を受けたとする。
【００４５】
呼び出し信号検知信号の最初のオンによって、ＭＦＰ１００がスリープモードから復帰するが、ＣＰＵ１０２に電源が供給されて呼び出し信号検知信号の監視できる状態となると、呼び出し信号検知信号がオフとなってスリープモード復帰要因が不明となってしまう。
【００４６】
このため、図示のＭＦＰ１００では、前述したように、スリープモード復帰要因が不明の場合であると、所定の時間（例えば、５秒間）スタンバイモードを維持するものの、米国仕向けの場合には、所定の時間（第１の時間）よりも長い時間（第２の時間：例えば、１１秒間）においてはスタンバイモードを維持する。
【００４７】
よって、米国仕向けのＭＦＰ１００では、Ｔｏｎ＝０．２秒、Ｔｏｆｆ＝９秒という特殊なケーデンスパターンであっても、２周期目で呼び出信号検知信号がオンとなると、ＣＰＵ１０２は確実に呼び出し信号検知信号を認識する。結果的に、ＣＰＵ１０２はケーデンスパターン（つまり、呼び出し信号検知信号）のオン／オフの３周期目を確認した時点で、ファクシミリ機能の自動着信動作を行うことになる。
【００４８】
図４は、図１に示すＭＦＰ１００における仕向け国設定処理を説明するためのフローチャートである。
【００４９】
図１、図２、および図３を参照して、ＲＯＭ１０３に格納されたプログラムは全世界対応となっており、仕向け国設定を変更すれば、当該仕向け国の電気通信規格に適合した制御が行われる。
【００５０】
いま、操作ユニット１１１の入力部から規定の操作を行うと、ＣＰＵ１０２はサービスモードに移行する。このサービスモードは工場における各種設定操作又はサービスマンによる各種設定操作を行うために設けられている。
【００５１】
国設定処理が開始されると、ＣＰＵ１０２はＭＦＰ１００がサービスモードであるか否かについて判定する（ステップＳ４０）。ＭＦＰ１００がサービスモードでないと（ステップＳ４０において、ＮＯ）、ＣＰＵ１０２は処理を終了する。
【００５２】
一方、ＭＦＰ１００がサービスモードであると（ステップＳ４０において、ＹＥＳ）、ＣＰＵ１０２は設定操作の種類が仕向け国設定であるか否かを判定する（ステップＳ４１）。設定操作の種類が仕向け国設定であると（ステップＳ４１において、ＹＥＳ）、ＣＰＵ１０２は設定操作による仕向け国が米国であるか否かを判定する（ステップＳ４２）。
【００５３】
仕向け国が米国であると（ステップＳ４２において、ＹＥＳ）、ＣＰＵ１０２はＴｒｅｔパラメータを、第２の時間（例えば、１１秒）に設定変更する（ステップＳ４３）。そして、ＣＰＵ１０２は当該Ｔｒｅｔパラメータ（第２のＴｒｅｓパラメータ）および仕向け国設定をＥ２ＲＯＭ１１８に保存する。この設定はＭＦＰ１００の電源が断とされても保持される。
【００５４】
続いて、ＣＰＵ１０２は設定操作によってサービスモードが終了したか否かを判定する（ステップＳ４４）。サービスモードが終了していないと判定すると（ステップＳ４４において、ＮＯ）、ＣＰＵ１０２はステップＳ４１の処理に戻って仕向け国設定であるか否かを判定する。一方、サービスモードが終了したと判定すると（ステップＳ４４において、ＹＥＳ）、ＣＰＵ１０２は処理を終了する。
【００５５】
ステップＳ４２において、仕向け国が米国でないと（つまり、米国以外、ステップＳ４２において、ＮＯ）、ＣＰＵ１０２はＴｒｅｔパラメータを、第２の時間よりも短い第１の時間（例えば、５秒）に設定変更する（ステップＳ４５）。そして、ＣＰＵ１０２は当該Ｔｒｅｔパラメータ（第１のＴｒｅｓパラメータ）および仕向け国設定をＥ２ＲＯＭ１１８に保存する。続いて、ＣＰＵ１０２はステップＳ４４の処理に移行する。
【００５６】
なお、ステップＳ４１において、仕向け国設定ではないと判定すると、ＣＰＵ１０２は仕向け国設定以外の設定の種類に応じて、設定操作によってＭＦＰ１００の設定変更を行う（ステップＳ４６）。そして、ＣＰＵ１０２はステップＳ４４の処理に移行する。
【００５７】
また、上記の第１および第２の時間、つまり、第１および第２のＴｒｅｓパラメータはそれぞれ設定時間である。そして、Ｅ２ＲＯＭ１１８には複数の設定時間が記憶されることになる。
【００５８】
図５は、図１に示すＭＦＰ１００の電源がオンされた後において１回目のスリープモード移行処理を説明するためのフローチャートである。
【００５９】
図１、図２、および図３を参照して、いまＭＦＰ１００はスタンバイモードにあるものとする。ＣＰＵ１０２は予め定められた規定時間の間イベントがあったか否かを監視する（ステップＳ５０）。ここで、イベントとは、例えば、操作ユニット１１１の操作、ＬＡＮ又はＵＳＢで接続されたホストからの動作要求、およびＭＦＰ１００内部要因などである。また、規定時間は直前のイベント処理終了から、例えば、１０分間の時間である。
【００６０】
規定時間の間イベントが発生しないと（ステップＳ５０において、ＹＥＳ）、ＣＰＵ１０２は、前述したようにスリープモード制御部１１５に移行信号を送って、非常夜電源１１をオフとする。これによって、ＣＰＵ１０２はＭＦＰ１００をスリープモードに移行する（ステップＳ５１）。そして、ＣＰＵ１０２は処理を終了する。
【００６１】
一方、規定時間の間にイベントが発生すると（ステップＳ５０において、ＮＯ）、ＣＰＵ１０２はイベントの種類に応じた処理を行う（ステップＳ５２）。そして、ＣＰＵ１０２はステップＳ５０の処理に戻る。
【００６２】
図６は、図１に示すＭＦＰ１００におけるスリープモード復帰時処理を説明するためのフローチャートである。
【００６３】
図１、図２、および図３を参照して、いま、ＭＦＰ１００はスリープモードであるものとする。図２に関連して説明したように、復帰要因が発生すると、スープモード制御部１１５は非常夜電源１１をオンとする。これによって、ＣＰＵ１０２に電源が供給される。
【００６４】
この際、図２で説明したように、呼び出し信号検知信号のオン時間Ｔｏｎが非常に短い場合であっても、スリープ制御部１１５は非常夜電源１１をオンとする。つまり、ＭＦＰ１００はスリープモードからスタンバイモードに復帰はする。
【００６５】
この場合には、ＣＰＵ１０８に電源が供給されて動作開始する際には、前述のように、呼び出し信号検知信号がオフになってしまい、ＣＰＵ１０２はスリープモード復帰要因を特定することができない。
【００６６】
スープモードからスタンバイモードに復帰すると、ＣＰＵ１０２はスリープモード復帰要因が明確であるか否かについて判定する（ステップＳ６０）。復帰要因が明確であると判定すると（ステップＳ６０において、ＹＥＳ）、ＣＰＵ１０２は復帰要因に応じた処理を実行する（ステップＳ６１）。例えば、復帰要因がＬＡＮ回線１１７を介して受信したプリントジョブであれば、ＣＰＵ１０２はプリンタＩ／Ｆ１０６を介してプリンタ１０７を制御してプリントを行う。
【００６７】
続いて、ＣＰＵ１０２は上記の規定時間の間にイベントが発生したか否かを判定する（ステップＳ６２）。規定時間の間にイベントが発生しないと（ステップＳ６２において、ＹＥＳ）、ＣＰＵ１０２は、スリープモード制御部１１５に移行信号を送って、非常夜電源１１をオフとする。これによって、ＣＰＵ１０２はＭＦＰ１００をスリープモードに移行する（ステップＳ６３）。そして、ＣＰＵ１０２は処理を終了する。
【００６８】
一方、規定時間の間にイベントが発生すると（ステップＳ６２において、ＮＯ）、ＣＰＵ１０２はイベントに応じた処理を行う（ステップＳ６４）。そして、ＣＰＵ１０２はステップＳ５０の処理に戻る。
【００６９】
ステップＳ６０において、復帰要因が明確でないと判定すると（ステップＳ６０において、ＮＯ）、ＣＰＵ１０２は、Ｅ２ＲＯＭ１１８に保存されたＴｒｅｔパラメータを読み出す。この際、仕向け国設定が米国であれば、ＣＰＵ１０２は第２のＴｒｅｔパラメータ（１２秒）を読み出す。仕向け国設定が米国以外の国であれば、ＣＰＵ１０２は第１のＴｒｅｔパラメータ（５秒）を読み出す。
【００７０】
続いて、ＣＰＵ１０２は、読み出したＴｒｅｓパラメータで規定された時間（Ｔｒｅｓ時間）の間にイベントが発生したか否かについて判定する（ステップＳ６５）。Ｔｒｅｓ時間の間にイベントが発生しないと（ステップＳ６５において、ＹＥＳ）、ＣＰＵ１０２はステップＳ６３の処理に移行する。一方、Ｔｒｅｓ時間の間にイベントが発生すると（ステップＳ６５において、ＮＯ）、ＣＰＵ１０２はステップＳ６４の処理に移行する。
【００７１】
このように、第１の実施形態では、ＭＦＰ１００が米国仕向け設定の場合には、例えば、呼び出し信号検知信号がＴｏｎ＝０．２秒およびＴｏｆｆ＝９秒のように特殊な呼び出し信号検知信号であっても、ＣＰＵ１０２は確実にファクシミリ機能の自動着信を行うができる。
【００７２】
さらに、米国以外の仕向け設定では上記の特殊呼び出し信号検知信号に対応する必要がないので、スリープモード復帰要因が不明な場合にはスリープモードへの再移行時間を米国仕向け設定に比べて短くする。これによって、トータルの消費電力を削減することができる。
【００７３】
［第２の実施形態］
続いて、本発明の第２の実施形態によるＭＦＰの一例について説明する。なお、第２の実施形態によるＭＦＰの構成は図１および図２に示す構成と同様である。
【００７４】
図７は、本発明の第２の実施形態によるＭＦＰ１００におけるユーザ設定変更処理を説明するためのフローチャートである。
【００７５】
図１、図２、および図７を参照して、図１に示す操作ユニット１１１の入力部にはユーザ設定キー（図示せず）が備えられている。ＣＰＵ１０２はユーザ設定キーが押されたか否かを監視している（ステップＳ７０）。ユーザ設定キーが押されないと（ステップＳ７０において、ＮＯ）、ＣＰＵ１０２は処理を終了する。
【００７６】
一方、ユーザ設定キーが押されると（ステップＳ７０において、ＹＥＳ）、ＣＰＵ１０２は操作ユニット１１１においてユーザ設定項目のうちＴｒｅｔパラメータ設定変更が指定された否かを判定する（ステップＳ７１）。Ｔｒｅｔパラメータ設定変更が指定されたと判定すると（ステップＳ７１において、ＹＥＳ）、ＣＰＵ１０２は操作ユニット１１１における入力操作によって指定されたＴｒｅｔパラメータ（つまり、時間）に応じて、Ｅ２ＲＯＭ１１８に保存されたＴｒｅｓパラメータの書き換えを実行する（ステップＳ７２）。この際、ＣＰＵ１０２はその更新履歴をＥ２ＲＯＭ１１８に保存する。そして、ＣＰＵ１０２は処理を終了する。
【００７７】
前述のように、Ｅ２ＲＯＭ１１８には米国仕向け設定においては第２のＴｒｅｓパラメータが予め保存され、米国仕向け設定においては第１のＴｒｅｓパラメータが予め保存されている。ところが、米国においても通常の設置環境においては、呼び出し信号検知信号がＴｏｎ＝２およびＴｏｆｆ＝５程度の一般的な呼び出信号ケーデンスがほとんどである。このような場合には、ユーザ設定変更によって適宜第２のＴｒｅｓパラメータ（つまり、１２秒）を変更して、トータルの消費電力を提言するようにする。つまり、第２のＴｒｅｔパラメータをユーザ設定変更によって任意に短く設定変更するようにすることができる。
【００７８】
Ｔｒｅｔパラメータ設定変更が指定されないと判定すると（ステップＳ７１において、ＮＯ）、ＣＰＵ１０２は操作ユニット１１１においてユーザ設定項目のうち選択されたユーザ設定（変更内容）に応じた設定変更を行う（ステップＳ７３）。そして、ＣＰＵ１０２は処理を終了する。
【００７９】
このように、第２の実施形態では、特別な仕向け国設定である第２のＴｒｅｓパラメータを、ユーザの必要に応じて変更することができる。つまり、電話回線に応じて第２のＴｒｅｓパラメータを任意に設定変更することができる。この結果、スリープモード復帰要因が不明である場合におけるスリープモード再移行時間を最適としてトータルの消費電力を削減することができる。
【００８０】
［第３の実施形態］
次に、本発明の第３の実施形態によるＭＦＰの一例について説明する。なお、第３の実施形態によるＭＦＰの構成は図１および図２に示す構成と同様である。
【００８１】
図８は、本発明の第３の実施形態によるＭＦＰ１００における呼び出し信号検知信号の監視処理を説明するためのフローチャートである。なお、図８に示す処理はスタンバイモードなどＭＦＰに電源給電されて通常動作の可能な場合に実行される。
【００８２】
図１、図２、および図８を参照して、まず、ＣＰＵ１０２は呼び出し信号検知信号を受信したか否かを判定する。つまり、ＣＰＵ１０２は電話回線１１６から呼び出し信号を着信しているか否かを判定することになる（ステップＳ８０）。呼び出し信号を着信しないと（ステップＳ８０において、ＮＯ）、ＣＰＵ１０２は処理を終了する。
【００８３】
一方、呼び出し信号を着信すると（ステップＳ８０において、ＹＥＳ）、その都度、ＣＰＵ１０２はＥ２ＲＯＭ１１８を検索してＴｒｅｔパラメータ（つまり、第２のＴｒｅｓパラメータ）に関するユーザの更新履歴（変更履歴）の有無を判定する（ステップＳ８１）。変更履歴があると（ステップＳ８１において、ＹＥＳ）、ＣＰＵ１０２は処理を終了する。
【００８４】
変更履歴がないと（ステップＳ８１において、ＮＯ）、ＣＰＵ１０２は呼び出し信号検知信号のおけるオフ時間Ｔｏｆｆ（つまり、呼び出し信号検知信号の周期）を計測する（ステップＳ８２）。そして、ＣＰＵ１０２は、計測したオフ時間ＴｏｆｆをＥ２ＲＯＭ１１８にパターン履歴（単に履歴ともいう）として保存する。
【００８５】
続いて、ＣＰＵ１０２はＥ２ＲＯＭ１１８に履歴保存されたオフ時間Ｔｏｆｆに関する統計値を算出する（ステップＳ８３）。ここで、統計値とは、例えば、所定数（例えば、１０回分）のオフ時間Ｔｏｆｆの平均値とその標準偏差をいう。
【００８６】
次に、ＣＰＵ１０２は標準偏差が一定値（所定値）未満であるか否かについて判定する（ステップＳ８４）。ここで、１０回分のオフ時間Ｔｏｆｆの標準偏差が一定値未満であれば、電話回線１１６から受ける呼び出し信号のケーデンスパターンはほぼ一定であると判別することができる。
【００８７】
標準偏差が一定値以上（所定値以上）であると（ステップＳ８４において、ＮＯ）、ＣＰＵ１０２は処理を終了する。一方、標準偏差が一定値未満（所定値未満）であると（ステップＳ８４において、ＹＥＳ）、ＣＰＵ１０２はＥ２ＲＯＭ１１８に保存されているＴｒｅｔパラメータ（ここでは、第２のＴｒｅｓパラメータをいう）を、オフ時間Ｔｏｆｆの平均値に所定時間（例えば、２秒）を加算した値（更新Ｔｒｅｓパラメータ）に書き換える。そして、ＣＰＵ１０２は処理を終了する。
【００８８】
このように、第３の実施形態では、電話回線に応じてＴｒｅｔパラメータを自動的に見直すので、スリープモード復帰要因が不明の場合においても、スリープモード再移行時間を最適としてトータルの消費電力を低減することができる。
【００８９】
さらに、標準偏差を用いて見直しを行っているので、例えば、呼び出し信号のケーデンスパターンが明らかである場合には、Ｔｒｅｔパラメータがこのケーデンスパターンに応じて設定変更されて、設定変更後はＴｒｅｔパラメータの再見直が行われることがない。
【００９０】
上述の説明から明らかなように、図１において、回線Ｉ／Ｆ１１３が検知手段として機能し、スリープモード制御部１１５が復帰手段として機能する。また、ＣＰＵ１０２は変更手段および履歴取得手段として機能する。なお、上述の実施の形態では、情報処理装置の１つであるＭＦＰについて説明したが、ＭＦＰ以外の情報処理装置であっても、ファクシミリ機能を備えて電話回線を介して呼び出し信号を着信する情報処理装置であれば、同様にして本発明を適用することができる。
【００９１】
以上、本発明について実施の形態に基づいて説明したが、本発明は、これらの実施の形態に限定されるものではなく、この発明の要旨を逸脱しない範囲の様々な形態も本発明に含まれる。
【００９２】
例えば、上記の実施の形態の機能を制御方法として、この制御方法を、情報処理装置に実行させるようにすればよい。また、上述の実施の形態の機能を有するプログラムを制御プログラムとして、この制御プログラムを情報処理装置が備えるコンピュータに実行させるようにしてもよい。なお、制御プログラムは、例えば、コンピュータに読み取り可能な記録媒体に記録される。
【００９３】
この際、制御方法および制御プログラムは、少なくとも検知ステップ、復帰ステップ、および変更ステップを有することになる。
【００９４】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【００９５】
１０  常夜電源
１１  非常夜電源
１００  ＭＦＰ
１０２  ＣＰＵ
１１１  操作ユニット
１１３  回線Ｉ／Ｆ
１１５  スリープモード制御部
１１８  Ｅ２ＲＯＭ
１１９  電源
【図１】
0005882591.tif 000002
【図２】
0005882591.tif 000003
【図３】
0005882591.tif 000004
【図４】
0005882591.tif 000005
【図５】
0005882591.tif 000006
【図６】
0005882591.tif 000007
【図７】
0005882591.tif 000008
【図８】
0005882591.tif 000009